(57)【要約】【課題】  犬の糞回収具は、構造が複雑で形状の大きな物が多く、持ち運びの際に不便であり、見目もよくない。発明の課題を簡潔に記載して下さい。【解決手段】  棒状の柄の先に柄と垂直な軸を中心として折畳み可能な外側の環状金具を設け、その外周に不透明な袋が装着され、突起を設けた内側の環状金具を前記外側の環状金具の内周に接するように柄と垂直な軸に回転自在に設けた。【選択図】図１
2009201495.tif 000002
【特許請求の範囲】
【請求項１】
棒状の柄の先に柄と垂直な軸を中心として折畳み可能な外側の環状金具を設け、その外周に不透明な袋が装着され、突起を設けた内側の環状金具を前記外側の環状金具の内周に接するように前記棒状の柄と垂直な軸に回転自在に設けたことを特徴とする犬の糞回収具。
【請求項２】
内側の環状金具の頂点部及び回転軸部に突起を設けたことを特徴とする請求項１に記載の犬の糞回収具。
【請求項３】
突起に合成樹脂製袋を引掛けると共に、外側の環状金具と内側の環状金具により合成樹脂製袋を挟んで、不透明な袋の中に合成樹脂製袋を設けたことを特徴とする請求項１乃至請求項２に記載の犬の糞回収具。
【発明の詳細な説明】
【技術分野】
【０００１】  本発明は、犬を散歩させている時に犬が排出する糞を袋に受け入れて簡単に持ち帰る為の犬の糞回収具に関するものである。
【背景技術】
【０００２】  犬の散歩では、犬が糞をした場合に主にスコップを使用してビニールに入れて持ち帰る手法がとられている。【０００３】  しかし、スコップで犬の糞を取るということは面倒であり、それを持ち歩くにも抵抗がある。又、スコップが糞で汚れてしまうといった問題もある。更に、地面についてしまった糞を取り去るのは困難である。【０００４】  そこで、犬の糞が地面につく前に、ビニール等の合成樹脂製袋で受けて簡単に処理できるようにした犬の糞回収具が多数提案されている。例えば、特開２００３−３２５０７１号や特開２００５−２２９９８９号に記載されている。
【特許文献１】特開２００３−３２５０７１号公報
【特許文献２】特開２００５−２２９９８９号公報
【発明の開示】
【発明が解決しようとする課題】
【０００５】  しかし、上述した犬の糞回収具は、構造が複雑で形状の大きな物が多く、持ち運びの際に不便であり、見目もよくない。【０００６】  上述の事情を鑑み、本発明は、構造が簡単で携帯性に優れており、更に携帯時のデザイン性や見目に配慮した犬の糞回収具を提供することを目的とする。
【課題を解決するための手段】
【０００７】  本発明による犬の糞回収具は、棒状の柄の先に柄と垂直な軸を中心として折畳み可能な外側の環状金具を設け、その外周に不透明な袋が装着され、突起を設けた内側の環状金具を前記外側の環状金具の内周に接するように柄と垂直な軸に回転自在に設けたものである。【０００８】  又、内側の環状金具の頂点部及び回転軸部に突起を設けたものである。【０００９】  更に、突起に合成樹脂製袋を引掛けると共に、外側の環状金具と内側の環状金具により合成樹脂製袋を挟んで、不透明な袋の中に合成樹脂製袋を設けたものである。
【発明の効果】
【００１０】  本発明は、棒状の柄の先に柄と垂直な軸を中心とした折畳み可能な外側の環状金具を設けているので、金具の端を止め具で固定することが可能である。又、不透明な袋の中に合成樹脂製袋を設けているので、合成樹脂製袋の中が見えないようになっている。又、外側の環状金具と内側の環状金具とで合成樹脂製袋の開口部を挟み固定すると共に、内側の環状金具の頂点部及び回転軸部（４箇所９０度間隔）に突起を設けたので、犬の糞を回収する際に合成樹脂製袋が閉じることなく、内容物を溢さずに捨てることができる。更に、外側の環状金具部分を閉じた状態で、棒状の柄を持って持ち運ぶことが可能であり、不透明な袋に合成樹脂製袋が収まるために外観も良い。【００１１】  又、外側の環状金具と棒状の柄で構成されておりコンパクトであると共に、犬が便意を催した際に、片手で地面に糞が付着する前に回収することができる。糞処理後に外側の環状金具と不透明な袋で、内側の合成樹脂製袋を包み持ち運ぶことができるので、不透明な袋に合成樹脂製袋が完全に隠れるために、周りを気にすることなく片手で持ち運びができる。不透明な袋のデザインを凝ることで、従来の犬用糞処理機と違い持ちやすい印象を与えることができる。
【発明を実施するための最良の形態】
【００１２】  以下、図１〜図５に基づいて本発明の実施例を説明する。
【実施例】
【００１３】  本発明の実施例の糞回収具１は、図１に示すように、外側の環状金具２と内側の環状金具３と棒状の柄４で構成されている。棒状の柄４の先端に外側の環状金具２が固定され、その外周に不透明な袋１１が装着されている。図２に示すように、外側の環状金具２は環状の中心部に回転する軸１３、１４あり回動可能で、外側の環状金具２を中心部から半分に折り曲げることができる。外側の環状金具２の軸１３、１４の両側に４箇所新たな軸（図示せず）を設け、この軸を支点として内側の環状金具３を外側の環状金具２の内周に接するように回転自在に設ける。内側の環状金具３の頂点部及び回転軸部から外側に突起５、６、７、８、９、１０を設けている。この突起５、６、７、８、９、１０は、合成樹脂製袋を留める役目をする。図３に示すように、この突起５、６、７、８、９、１０が入る取付穴１７、１８、１９、２０を設けた専用の合成樹脂製袋１２を使用しても良い。【００１４】  次に、本発明の実施例の糞回収具１に合成樹脂製袋１２の取付方法について説明する。図３に示すように、外側の環状金具２を開き、内側の環状金具３を起こし、外側の環状金具２と内側の環状金具３の間に専用の合成樹脂製袋１２の開口部の端部を入れる（通常の合成樹脂製袋も使用可能）。専用の合成樹脂製袋１２には四方に穴１７、１８、１９、２０があけられており、内側の環状金具３に設けた突起５、６、７、８、９、１０を引掛ける。内側の環状金具３を回転し、外側の環状金具２の内周と内側の環状金具３の外周で合成樹脂製袋１２の開口部の端部を挟み固定する。【００１５】  次に、本発明の実施例の糞回収具１の使用方法について説明する。棒状の柄４を持ち犬の排便時に犬の背後から外側の環状金具２及び内側の環状金具３の開いた状態で後ろ足の間に滑り込ませ、地面に着地する前に排泄物（糞）を外側の環状金具２の内側に固定した専用の合成樹脂製袋１２に受ける。四方向の突起５、６、７、８、９、１０で合成樹脂製袋１２を固定すると共に、合成樹脂製袋１２の開口部を外側の環状金具２と内側の環状金具３で挟み固定しているので、合成樹脂製袋１２の口は閉じにくく、排泄物（糞）を溢すことなく回収することができる。図４に示すように排泄後に外側の環状金具２及び内側の環状金具３を閉じ、図５に示すように留め具１５、１６を留める。そして、図５に示すように棒状の柄４の部分を垂直に持って運ぶことができる。【００１６】  従って、不透明な袋１１により内部の排泄物が入った合成樹脂製袋１２が外部から見えない。又、棒状の柄４の端部に穴２１を設け、その穴２１に紐を通してぶら下げることも可能である。更に、不透明な袋１１を防水性を有する素材にすると水洗いが可能なため清潔である。排泄物（糞）が入った合成樹脂製袋１２はそのままゴミとして処理することができる。又、合成樹脂製袋１２の色を黒にすると中身が透けることがなく不快感を軽減することができる。
【図面の簡単な説明】
【００１７】
【図１】本発明の糞回収具の実施例を示す斜視図
【図２】本発明の糞回収具の実施例の構造を示した斜視図
【図３】本発明の糞回収具の実施例に合成樹脂製袋を装着しようとする斜視図
【図４】本発明の糞回収具の実施例の環状金具を閉じようとしている斜視図
【図５】本発明の糞回収具の実施例の環状金具を閉じた斜視図
【符号の説明】
【００１８】  １    糞回収具
２    外側の環状金具
３    内側の環状金具
４    棒状の柄
５    突起
６    突起
７    突起
８    突起
９    突起
１０  突起
１１  不透明な袋
１２  合成樹脂製
１３  軸
１４  軸
１５  留め具
１６  留め具
１７  穴
１８  穴
１９  穴
２０  穴
２１  穴
【図１】
2009201495.tif 000003
【図２】
2009201495.tif 000004
【図３】
2009201495.tif 000005
【図４】
2009201495.tif 000006
【図５】
2009201495.tif 000007